(57)【要約】【課題】報知手段を有する外部記憶媒体を複数装着できる画像処理装置において、操作者が操作したい外部記憶媒体を容易に知らせることができるようにする。【解決手段】  装着されたＵＳＢメモリ１１を表示する表示部と、当該表示部に表示されたＵＳＢメモリ１１から所望のＵＳＢメモリ１１を選択する操作部４と、ＵＳＢメモリ１１にアクセス命令を送信するアクセス部９とを設け、前記操作部４により選択されたＵＳＢメモリ１１に前記アクセス命令を送信してＵＳＢメモリ１１の前記報知ランプ１３により報知するようにした。【選択図】図１
2009152694.tif 000002
【特許請求の範囲】
【請求項１】
アクセスされた事を報知する報知手段を有する外部記憶媒体を、複数装着可能な画像処理装置において、
装着された外部記憶媒体情報を表示する表示手段と、
前記表示手段に表示された外部記憶媒体から所望の外部記憶媒体を選択する選択手段と、
外部記憶媒体に対しアクセス命令を送信するアクセス命令送信手段とを設け、
前記選択手段により選択された外部記憶媒体に前記アクセス命令を送信して前記外部記憶媒体の前記報知手段により報知するようにしたことを特徴とする画像処理装置。
【請求項２】
外部記憶媒体ごとにデバイス名を付与するデバイス名付与手段を更に有することを特徴とする請求項１記載の画像処理装置。
【請求項３】
外部記憶媒体へ格納したファイルの履歴情報を保存するファイル履歴格納手段を設け、
前記選択手段は、前記履歴情報に基づいて所望のファイルを格納した外部記憶媒体を選択する選択手段としたことを特徴とする請求項１記載の画像処理装置。
【請求項４】
前記ファイル履歴格納手段は、画像処理装置が認識しない外部記憶媒体に関する履歴情報を削除するようにしたことを特徴とした請求項３記載の画像処理装置。 
【発明の詳細な説明】
【技術分野】
【０００１】
本発明は、アクセスを報知する報知手段を有する外部記憶媒体を複数接続可能な画像処理装置に関するものである。
【背景技術】
【０００２】
近年、デジタルカメラ等で撮影した写真画像データなどをメモリカードやＵＳＢメモリ（Ｕｎｉｖｅｒｓａｌ  Ｓｅｒｉａｌ  Ｂｕｓ  Ｍｅｍｏｒｙ）などの外部記憶媒体に格納し、これらのデータに基づき印刷を行ったり、装置内にスキャナ機能を設け、当該スキャナから読み取った画像データを外部記憶媒体に格納したりする印刷複合機等の画像処理装置が開発され、製品化されている。
【０００３】
このような画像処理装置として、メモリカードを１つずつ順次接続し、メモリカードごとにあらかじめ操作者が設定した検索用キーワードと、接続したメモリカードから読み出したキーワードとを比較し、設定したキーワードのうち取得したキーワードに一致しなかった検索用キーワードを通常と異なる態様で表示し、所望のメモリカードでないことを操作者に知らせる技術はあった（例えば、特許文献１）。
【特許文献１】特許第２００６−３３０９９７号公報
【発明の開示】
【発明が解決しようとする課題】
【０００４】
しかしながら、上記従来の画像処理装置では、複数のメモリカードやＵＳＢメモリを同時に画像処理に装着する場合は考慮されておらず、このような態様でメモリカードやＵＳＢメモリを使用する場合において、使用を終了して取り外すときに、所望のメモリカードやＵＳＢメモリを見つけるには、メモリカード等の外観や、格納されたファイルの内容を参照しないと、所望のメモリカード等を見つけることができなかった。
【０００５】
このため、メモリカードやＵＳＢメモリに保存されているデータを画像処理装置のパネル等で確認する必要があり、操作者に多大な労力を強いるとともに、間違えて他の操作者のメモリカードやＵＳＢメモリを取り外してしまう等の問題があった。
【課題を解決するための手段】
【０００６】
本発明は、前述の課題を解決するために次の手段を採用する。すなわち、アクセスされた事を報知する報知手段を有する外部記憶媒体を、複数装着可能な画像処理装置において、装着された外部記憶媒体情報を表示する表示手段と、前記表示手段に表示された外部記憶媒体から所望の外部記憶媒体を選択する選択手段と、外部記憶媒体に対しアクセス命令を送信するアクセス命令送信手段とを設け、前記選択手段により選択された外部記憶媒体に前記アクセス命令を送信して前記外部記憶媒体の前記報知手段により報知するようにした。
【発明の効果】
【０００７】
本発明の画像処理装置によれば、装着された外部記憶媒体情報を表示する表示手段と、前記表示手段に表示された外部記憶媒体から所望の外部記憶媒体を選択する選択手段と、外部記憶媒体に対しアクセス命令を送信するアクセス命令送信手段とを設け、前記選択手段により選択された外部記憶媒体に前記アクセス命令を送信して前記外部記憶媒体の前記報知手段により報知するようにしたので、画像処理装置に装着した複数の外部記憶媒体から操作者が操作したい外部記憶媒体を簡単な操作で見つけることができる。
【発明を実施するための最良の形態】
【０００８】
以下、本発明に係る実施の形態例を、図面に共通する要素には同一の符号を付し、図面を用いて説明する。なお、画像処理装置として印刷複合機を例とし、外部記憶媒体としてＵＳＢメモリを例として以下説明するが、これらには限られない。
【実施例１】
【０００９】
（構成）
図１は、実施例１の印刷複合機の構成を示すブロック図である。印刷複合機１０は、スキャナ機能、画像処理等の複数の機能を１つの装置内に設けた装置であり、これらの機能を実現するために、印刷複合機１０は、スキャナ部１と、画像処理部２と、操作部４と表示部５を備えた操作パネル３と、デバイス名格納部７とデバイス名付与部８を備えたデバイス名管理部６と、アクセス部９と、着脱可能な外部記憶媒体としてのＵＳＢインタフェースを介して接続される複数のＵＳＢメモリ１１から構成されている。なお、図示していないが、画像処理部２に接続した印刷部を備えて、印刷機能をも有するようにした印刷複合機もある。
【００１０】
スキャナ部１は、印刷複合機１０にセットされた原稿の画像を読み取るスキャナ機能を有する。画像処理部２は、スキャナ部１で読み出された画像データを、印刷可能な印刷データに変換したり、ＵＳＢメモリ１１への保存形式に変換したりする機能を有する。
【００１１】
操作パネル３は、印刷複合機１０の動作やＵＳＢメモリ１１の後述する報知ランプ１３の点滅を操作するための透明タッチパネル等からなる操作部４と、デバイス名管理部６から渡されるデバイス名を表示するＬＣＤ等からなる表示部５とを備えたものである。なお、上記のように操作部４をタッチパネルではなく、操作キーを配置した構成としても勿論よい。
【００１２】
デバイス名管理部６は、印刷複合機１０に装着されたＵＳＢメモリ１１のデバイス名を格納するデバイス名格納部７と、デバイス名が存在しない場合は新たに付与するデバイス名付与部８とを備えている。
【００１３】
アクセス部９はＵＳＢメモリ１１に対して画像処理部２で変換された画像データを出力したり、ＵＳＢメモリ１１からデバイス名情報を取得したりするインタフェース部で、本実施例ではＵＳＢインタフェースとなる。
【００１４】
ＵＳＢメモリ１１は、印刷複合機１０に着脱可能に装着される外部記憶媒体で、画像処理部２で変換された画像データを保存する記憶部１２と、印刷複合機１０からのアクセス中であることを示すアクセスランプ（以下「報知ランプ」という）１３をそれぞれ備えたものである。
【００１５】
図２は、実施例１に関わる印刷複合機とＵＳＢメモリのシステム構成図である。印刷複合機１０には図示しないＵＳＢポートが複数設けられており、印刷複合機１０に対して複数のＵＳＢメモリ１１が装着かつ利用可能となっている。
【００１６】
そして、複数のＵＳＢメモリ１１はそれぞれが独立して動作が可能であり、複数の操作者がそれぞれＵＳＢメモリ１１を使用できる環境を提供できるようになっている。また、同図に示すように、市販されている一般のＵＳＢメモリ１１では報知ランプ１３を備えており、外観から当該報知ランプ１３の点灯や点滅を目視で確認できるようになっている。
【００１７】
（動作）
以上の構成により実施例１の印刷複合機は、以下のように動作する。本動作を図３、図７の印刷複合機の動作フローチャート図、図４のディスクパラメータ領域、図５、図６および図８の印刷複合機の操作パネルの表示画面例を用いて、以下詳細に説明する。
【００１８】
図３は、ＵＳＢメモリ１１が印刷複合機１０に装着された際の、デバイス名設定処理に関する動作フローチャート図である。
【００１９】
まず、印刷複合機１０はＵＳＢメモリ１１が装着されたことを確認すると（ステップＳ１）、ＵＳＢメモリ１１にデバイス名が既に設定されているかどうかを確認する（ステップＳ２）。
【００２０】
ここで、デバイス名について説明する。ＵＳＢメモリ１１は、デバイスが採用しているファイルシステムに依存するが、通常、ディスクパラメータ領域に含まれるボリュームラベル情報にデバイス名が格納されている。
【００２１】
図４は、本実施例で用いるディスクパラメータ領域の例であり、図中のディスクパラメータ領域２０に含まれるボリュームラベル２１の情報についてデバイス名を取得したり、変更したりする。
【００２２】
再び図３のフローチャートに戻って、このとき、デバイス名が既に設定されていた場合は、ボリュームラベル２１の情報に格納されているデバイス名を取得し（ステップＳ３）、デバイス名管理部６のデバイス名格納部７にデバイス名を格納する（ステップＳ４）。
【００２３】
一方、デバイス名が存在しない場合は、図５の表示画面例１００のように、デバイス名を設定するかどうかを操作者に問い合わせる（ステップＳ５）。
【００２４】
ここで、操作者により「デバイス名を設定する」のオプションボタン１０１が選択され「ＯＫ」ボタン１０３が押下された場合は、図６の表示画面例１１０が表示される。そして、操作者が「ＵＳＢＭＥＭ  １」のオプションボタン１１１を選択し、「ＯＫ」ボタン１１２を押下すると、設定されたデバイス名をボリュームラベル２１の情報に上書きし、デバイス名を設定する（ステップＳ６）。
【００２５】
ここで、表示画面例１１０に表示されるデバイス名の候補は、すでに設定されたものを除いて、「ＵＳＢＭＥＭ」に番号を付与するものとして表示するのがよい。勿論、「ＵＳＢＭＥＭ」以外の名称としてもよいし、番号ではなくアルファベット順としてもよい。
【００２６】
一方、図５の「デバイス名を自動設定する」のオプションボタン１０２が選択され「ＯＫ」ボタン１０３が押下された場合は、印刷複合機１０のデバイス名付与部８により自動的にデバイス名を付与し、デバイス名を設定し（ステップＳ７）、操作者に設定名を通知する。
【００２７】
なお、付与するデバイス名としては、ステップＳ６の処理と同様、すでに設定されたものを除いて、「ＵＳＢＭＥＭ」に番号を付与するものとして、すでに設定済みの番号の次の番号を付与するようにすればよい。例えば、「ＵＳＢＭＥＭ  ３」まで設定済みであれば、「ＵＳＢＭＥＭ  ４」と自動付与し、操作者にその設定名を通知する。勿論、「ＵＳＢＭＥＭ」以外の名称としてもよいし、番号ではなくアルファベット順としてもよい。
【００２８】
ステップＳ６または、ステップＳ７によりデバイス名が設定されると、デバイス名管理部６のデバイス名格納部７にデバイス名を格納する（ステップＳ４）。
【００２９】
図７は、操作者が取り外したいＵＳＢメモリを見つけるときの報知ランプの点滅に関する印刷複合機の動作フローチャート図である。
【００３０】
印刷複合機１０に複数のＵＳＢメモリ１１が接続され認識されている状態で、操作パネル３に表示したＵＳＢメモリ１１に関するメニューのうちＵＳＢメモリ報知ランプ点滅メニューを選択すると、まず、デバイス名一覧をデバイス名格納部７から取得し（ステップＳ１１）、図８に示した表示画面例１２０のようにデバイス名の一覧と操作項目を表示する（ステップＳ１２）。
【００３１】
ここで、表示されるデバイス名一覧は、印刷複合機１０に接続され認識されているＵＳＢメモリ１１のデバイス名から構成される。
【００３２】
次に、取り外したいＵＳＢメモリとして、例えば「ＵＳＢＭＥＭ  １」のオプションボタン１２１が操作者により選択され「報知ランプ点滅」のコマンドボタン１２２が押下されると、アクセス部９を介してＵＳＢメモリ１１の図示しない制御部に報知ランプ点滅命令を送信する（ステップＳ１３）。
【００３３】
ここで、報知ランプ点滅命令は、ＵＳＢメモリ１１に対して擬似的な読込み命令（以下、「ダミーリード命令」という）を送信することにより行うのがよい。
【００３４】
ＵＳＢメモリ１１は、ダミーリード命令を受信すると、擬似的な読込み動作により報知ランプ１３が点滅する（ステップＳ１４）。
【００３５】
なお、図８の操作パネルの表示画面例１２０の「内容を表示」のコマンドボタンは、オプションボタンで選択したＵＳＢメモリ１１の内容を確認したい場合に押下するもので、押下されるとＵＳＢメモリ１１内に格納されたボリューム名、ファイル名やファイル格納日、ファイルサイズ等が表示される。「スキャンデータを保存」のコマンドボタンは印刷複合機１０に接続されたスキャナなどから画像データを取得してＵＳＢメモリ１１に格納するときに用いられる。
【００３６】
（実施例１の効果）
以上のように、実施例１の印刷複合機によれば、ＵＳＢメモリごとにデバイス名を付与するデバイス名付与手段と、当該デバイス名にて所望のＵＳＢメモリを選択するデバイス名選択手段と、選択されたＵＳＢメモリに擬似的な読込み命令を送信するダミーリード送信手段を設け、選択されたＵＳＢメモリ報知ランプを点滅させるようにしたので、印刷複合機に装着された複数のＵＳＢメモリのうち、操作者が操作したいＵＳＢメモリを簡単な操作で見つけることができる。
【実施例２】
【００３７】
複数のＵＳＢメモリを利用していると、特定のファイルが格納されているＵＳＢメモリがいずれかを知りたいことがしばしば生じる。この場合、通常、印刷複合機の表示パネルなどで、ＵＳＢメモリに格納されているディレクトリ構成及びファイルリストを図１０のように表示し、手動で確認する必要があり、この確認作業を、所望のファイルが見つかるまでＵＳＢメモリ全てについて行わなければならない。
【００３８】
（構成）
実施例２の印刷複合機は、以上の不具合を解決するために、図９に示すように印刷複合機１０にファイル履歴格納部１４を設けている。ファイル履歴格納部１４は、図１２に示したように印刷複合機１０に接続した機器より画像データ等のデータを取得し、ＵＳＢメモリに格納したファイル名、デバイス名、日時、ファイルサイズ等のファイル履歴情報２２を格納しておくものである。その他の構成は実施例１の印刷複合機の構成と同様であるので、簡略化のために、その詳細な説明は省略する。
【００３９】
（動作）
以上の構成により、実施例２の印刷複合機は、以下のように動作する。この動作を図１１および図１３の印刷複合機の動作フローチャート図、図１４および図１６の印刷複合機の操作パネルの表示画面例を用いて説明する。
【００４０】
図１１は、印刷複合機１０に搭載したスキャナ部１にてスキャンしたデータをＵＳＢメモリ１１へ保存する処理を行うときの動作フローチャート図である。
【００４１】
まず、操作者が印刷複合機１０の操作部４にて操作を行い、スキャン実行の命令を行うと、スキャナ部１でスキャンを実行し（ステップＳ２１）、画像処理部２にて任意のデータ形式に変換して画像処理を実行する（ステップＳ２２）。
【００４２】
次に、アクセス部９からＵＳＢメモリ１１へデータを送信する（ステップＳ２３）。データの送信が完了すると図１２に示すように、ファイル名、デバイス名、日時、ファイルサイズ等のファイル履歴情報２２をファイル履歴格納部１４へ格納する（ステップＳ２４）。
【００４３】
以上の処理を、ＵＳＢメモリ１１へのファイル保存や削除を実行する都度実行し、ファイル履歴格納部１４へ当該ファイル履歴情報２２の蓄積および削除を行う。
【００４４】
図１３は、報知ランプの点滅に関する印刷複合機の動作フローチャート図である。印刷複合機１０に複数のＵＳＢメモリ１１が接続され認識されている状態で、ＵＳＢメモリ関連のメニューを操作パネル３に表示すると、まず、処理を行ったファイル履歴一覧をファイル履歴格納部１４から取得し（ステップＳ３１）、ファイル履歴一覧をリスト表示したファイル選択画面を表示する（ステップＳ３２１）。
【００４５】
図１４に印刷複合機の操作パネルの表示画面例２１０を示す。同図に示したように、表示画面例２１０には前述のスキャナ部１にて取得しＵＳＢメモリ１１に格納するなど、ＵＳＢメモリ１１にファイルを格納した全ファイルのファイル名、デバイス名、格納した日時等の一覧が表示される（ステップＳ３２）。
【００４６】
すると、操作者は、例えば図１０のｆｉｌｅＮａｍｅ００２．ｊｐｇ（２００）が格納されたＵＳＢメモリ１１を知りたいときは、ｆｉｌｅＮａｍｅ００２．ｊｐｇのチェックボックス（２１１）を選択し、「報知ランプ点滅」ボタン２１２をクリックすると、実施例１と同様に、ＵＳＢメモリ１１にダミーリード命令であるとして報知ランプ点滅命令を送信する（ステップＳ３３）。
【００４７】
ＵＳＢメモリ１１は、ダミーリード命令を受信すると報知ランプ１３を点滅させ、操作者にｆｉｌｅＮａｍｅ００２．ｊｐｇが格納されたＵＳＢメモリであることを知らせる（ステップＳ３４）。
【００４８】
なお、前述の図１４に示した表示画面例２１０であるファイル選択画面には、ファイル名の順に表示したりデバイス名ごとに表示するようにしてもよいし、格納した日時順に表示したりしてもよい。これらの表示方法を選択できるようにしておくとなおよい。
【００４９】
また、図１４の表示画面例２１０のように操作パネル３に表示する履歴一覧としては、印刷複合機１０に接続され認識されているＵＳＢメモリ１１のみに関する履歴だけとするとよい。
【００５０】
例えば、図１５の印刷複合機の動作フローチャート図に示すように、図１４の表示画面例２１０を表示しているときに、２１３のｆｉｌｅＮａｍｅ００５．ｊｐｇが格納されたデバイス名「ＵＳＢＭＥＭ２」のＵＳＢメモリが抜取られた場合、これを認識したアクセス部９は、デバイス名管理部６およびファイル履歴格納部１４にその旨通知し（ステップＳ４１）、該当する履歴をファイル履歴格納部１４から削除し（ステップＳ４２）、図１６の表示画面例２２０のように、「ＵＳＢＭＥＭ２」に関する履歴一覧を表示しないようにする。
【００５１】
このように、認識されていないＵＳＢメモリの情報を削除することにより、目的とするファイルの選択が容易となり、当該ファイルが格納されたＵＳＢメモリ１１を容易に知ることができる。
【００５２】
（実施例２の効果）
以上のように実施例２の印刷複合機によれば、ファイル履歴情報を格納するファイル履歴格納部を設け、目的とするファイルが格納されたＵＳＢメモリを知りたいときに、前記ファイル履歴情報を表示し、選択して報知ランプを点滅させるようにしたので、印刷複合機に装着された複数のＵＳＢメモリから所望のファイルが格納されたＵＳＢメモリを容易に見つけることができる。
【００５３】
また、以上の実施例２の印刷複合機によれば、印刷複合機から抜取られたＵＳＢメモリに関するファイル履歴情報を表示しないようにしたので、目的とするファイルの選択が容易となり、当該ファイルが格納されたＵＳＢメモリを容易に知ることができる。
【００５４】
《その他の変形例》
また、以上の実施例の説明では、印刷複合機を例に説明したが、複数のＵＳＢメモリを装着して当該ＵＳＢメモリにデータを格納して処理する情報処理装置であれば、スキャナ装置でも複写機でもＦＡＸ装置等にも本発明を容易に適用することができる。
【００５５】
また、以上の実施例の説明では、外部記憶媒体の報知手段として、ＵＳＢメモリのアクセスランプを例として説明したが、報知手段であれば、音色を変えたブザーやＬＣＤ表示などの場合であっても本発明を適用することができる。
【００５６】
また、以上の実施例の説明では、外部記憶媒体としてＵＳＢメモリを例として説明したが、アクセスを報知する報知手段を有し取外し可能な外部記憶媒体であれば、可搬型ハードディスクでもよいし、その他の外部記憶媒体でも本発明を適用することができる。
【産業上の利用可能性】
【００５７】
本発明は、ＵＳＢメモリ等の外部記憶媒体を複数接続可能な画像処理装置に広く用いることができる。
【図面の簡単な説明】
【００５８】
【図１】実施例１の印刷複合機の構成を示すブロック図である。
【図２】実施例１の印刷複合機とＵＳＢメモリのシステム構成図である。
【図３】実施例１の印刷複合機の動作フローチャート図である。
【図４】実施例１のＵＳＢメモリのディスクパラメータ領域例を示す図である。
【図５】実施例１の印刷複合機の操作パネルの表示画面例を示す図である。
【図６】実施例１の印刷複合機の操作パネルの表示画面例を示す図である。
【図７】実施例１の印刷複合機の動作フローチャート図である。
【図８】実施例１の印刷複合機の操作パネルの表示画面例を示す図である。
【図９】実施例２の印刷複合機の構成を示すブロック図である。
【図１０】実施例２の一般的なディレクトリ構成例を示す図である。
【図１１】実施例２の印刷複合機の動作フローチャート図である。
【図１２】実施例２の印刷複合機のファイル履歴格納部の格納情報例を示す図である。
【図１３】実施例２の印刷複合機の動作フローチャート図である。
【図１４】実施例２の印刷複合機の操作パネルの表示画面例を示す図である。
【図１５】実施例２の印刷複合機の動作フローチャート図である。
【図１６】実施例２の印刷複合機の操作パネルの表示画面例を示す図である。
【符号の説明】
【００５９】
１：スキャナ部
２：画像処理部
３：操作パネル
４：操作部
５：表示部
７：デバイス名格納部
８：デバイス名付与部
９：アクセス部
１０：印刷複合機
１１：ＵＳＢメモリ
１３：報知ランプ
１４：ファイル履歴格納部
２０：ディスクパラメータ領域
２１：ボリュームラベル
２２：ファイル履歴情報
１２２、２１２：報知ランプ点滅ボタン
【図１】
2009152694.tif 000003
【図２】
2009152694.tif 000004
【図３】
2009152694.tif 000005
【図４】
2009152694.tif 000006
【図５】
2009152694.tif 000007
【図６】
2009152694.tif 000008
【図７】
2009152694.tif 000009
【図８】
2009152694.tif 000010
【図９】
2009152694.tif 000011
【図１０】
2009152694.tif 000012
【図１１】
2009152694.tif 000013
【図１２】
2009152694.tif 000014
【図１３】
2009152694.tif 000015
【図１４】
2009152694.tif 000016
【図１５】
2009152694.tif 000017
【図１６】
2009152694.tif 000018